(57)【要約】【課題】  像担持体からトナー画像を移動する中間転写体に一次転写させた後、このトナー画像を二次転写装置により中間転写体から記録媒体に二次転写させる画像形成装置において、中間転写体に転写されるトナー画像間の像間部分に付着したトナーが二次転写装置に付与されるのを防止する。【解決手段】  像担持体10に形成されたトナー画像を移動する中間転写体20に一次転写させ、このトナー画像を中間転写体により二次転写装置と対向する位置に導いて記録媒体に二次転写させる画像形成装置において、一次転写させる位置より中間転写体の移動方向下流側で二次転写させる位置との間に、中間転写体に転写されたトナー画像と次のトナー画像との間の像間部分に付着したトナーを除去する像間クリーニング手段30を設けた。【選択図】  図２
2008003346.tif 000002
【特許請求の範囲】
【請求項１】
像担持体に形成されたトナー画像を移動する中間転写体に一次転写させ、このように転写されたトナー像を中間転写体により二次転写装置と対向する位置に導いて、記録媒体に二次転写させるようにした画像形成装置において、上記の一次転写させる位置より中間転写体の移動方向下流側で上記の二次転写させる位置との間に、上記の中間転写体に転写されたトナー画像と次のトナー画像との間の像間部分に付着したトナーを中間転写体から除去する像間クリーニング手段を設けたことを特徴とする画像形成装置。
【請求項２】
請求項１に記載の画像形成装置において、上記の像間クリーニング手段として、上記の一次転写させる位置より中間転写体の移動方向下流側で上記の二次転写させる位置との間にクリーニング部材を設けると共に、このクリーニング部材を上記の像間部分に付着したトナーを中間転写体から除去する間だけ中間転写体に接触させるように、クリーニング部材を中間転写体に対して接触，離隔させる制御手段を設けたことを特徴とする画像形成装置。
【請求項３】
請求項１に記載の画像形成装置において、上記の像間クリーニング手段として、上記の一次転写させる位置より中間転写体の移動方向下流側で上記の二次転写させる位置との間にクリーニング部材を設けると共に、このクリーニング部材に上記の像間部分に付着したトナーを中間転写体から除去する間だけトナー回収用電圧を作用させる回収用電圧印加手段を設けたことを特徴とする画像形成装置。
【請求項４】
請求項１〜請求項３の何れか１項に記載の画像形成装置において、上記の像間クリーニング手段によって像間部分に付着したトナーを除去する位置よりも中間転写体の移動方向上流側の位置に、像間部分に付着したトナーの帯電を制御する荷電制御手段を設けたことを特徴とする画像形成装置。
【請求項５】
請求項１〜請求項４の何れか１項に記載の画像形成装置において、上記の像間クリーニング手段によって像間部分に付着したトナーを中間転写体から除去する際に、中間転写体に転写されたトナー画像と次のトナー画像との間の像間部分の間隔を大きくする像間制御手段を設けたことを特徴とする画像形成装置。
【発明の詳細な説明】
【技術分野】
【０００１】
本発明は、複写機やプリンタ等の画像形成装置に係り、特に、像担持体に形成されたトナー画像を移動する中間転写体に一次転写させ、このように転写されたトナー画像を中間転写体により二次転写装置と対向する位置に導いて、記録媒体に二次転写させるようにした画像形成装置において、上記の中間転写体に転写されるトナー画像間における像間部分に付着したトナーが、この中間転写体から上記の二次転写装置に付与されるのを防止するようにした点に特徴を有するものである。
【背景技術】
【０００２】
複写機やプリンタ等の画像形成装置としては、様々な種類のものが使用されており、近年においては、例えば、図１に示すようなフルカラーの画像形成を行う画像形成装置が知られている。
【０００３】
ここで、この画像形成装置においては、黄色，マゼンタ色，シアン色，黒色の異なった色彩のトナーを収容させた４つの現像装置１１に対応させて、４つの感光体ドラムからなる像担持体１０を設けている。
【０００４】
そして、この画像形成装置により各色彩のトナーを用いたフルカラー画像を形成するにあたっては、上記の各像担持体１０を回転させて、各像担持体１０の外周面をそれぞれ帯電装置１２により帯電させ、このように帯電された各像担持体１０に対して、それぞれ露光装置１３により画像データに従った露光を行って、各像担持体１０の外周面にそれぞれ静電潜像を形成し、対応する各現像装置１１からそれぞれ所定の色彩のトナーを上記の各像担持体１０に供給して現像を行い、各像担持体１０の外周面にそれぞれの色彩のトナー画像を形成する。
【０００５】
次いで、上記の各像担持体１０に形成されたそれぞれの色彩のトナー画像を、ローラ２１に架け渡されて駆動される中間転写ベルトからなる中間転写体２０にそれぞれローラ状になった一次転写装置２２により順々に一次転写させて、この中間転写体２０の上にフルカラーのトナー画像を形成する一方、転写後の各像担持体１０の外周面に残留しているトナーをそれぞれ第１クリーニング装置１４によって各像担持体１０の外周面から除去させる。
【０００６】
そして、上記のように中間転写体２０の上に形成されたフルカラーのトナー画像を、この中間転写体２０によりローラ状になった二次転写装置２３と対向する位置に導くと共に、この画像形成装置の下部に収容されたシート状の記録媒体Ｓを、送りローラ１５により中間転写体２０と二次転写装置２３との間に導き、上記の二次転写装置２３により中間転写体２０の上に形成されたフルカラーのトナー画像をこの記録媒体Ｓに二次転写させる。
【０００７】
その後は、このようにフルカラーのトナー画像が転写された記録媒体Ｓを定着装置１６に導いて、転写されたフルカラーのトナー画像を記録媒体Ｓに定着させて排紙させる一方、記録媒体Ｓに転写されずに中間転写体２０に残ったトナーを第２クリーニング装置１７によって中間転写体２０から除去させるようにしている。
【０００８】
ここで、上記のように各像担持体１０からトナー画像を中間転写体２０に順々に一次転写させ、このように転写されたトナー画像を二次転写装置２３により順々に記録媒体Ｓに二次転写させて画像形成を行う操作を連続して行った場合において、中間転写体２０に一次転写されたトナー画像と次に一次転写されるトナー画像との間における像間の部分に、逆帯電トナーや弱帯電トナーなどが付着することがあり、またこのような像間の部分において、画像形成条件を調整するためのパターン画像を形成することがある。
【０００９】
そして、このように中間転写体２０に転写されるトナー画像間の像間部分に、逆帯電トナーや弱帯電トナーなどが付着したり、画像形成条件を調整するためのパターン画像を形成したりすると、この像間部分におけるトナーは記録媒体Ｓに転写されずに、上記のローラ状になった二次転写装置２３に付与され、この二次転写装置２３がトナーで汚れ、このように二次転写装置２３に付与されたトナーが次に導かれた記録媒体Ｓの裏面に付着して裏汚れが発生したり、二次転写が適切に行えなくなったりするという問題があった。
【００１０】
また、従来においては、感光体ドラムからなる像担持体に現像装置からトナーを供給してトナー画像を形成した後、このトナー画像を像担持体から転写ドラムに転写させる前に、像担持体の非画像領域に第２ブレードを当接させて、非画像領域に付着したトナーを除去するようにした画像形成装置が提案されている（例えば、特許文献１参照。）。
【００１１】
しかし、上記の画像形成装置においては、トナー画像が形成されない像担持体の両側の端部に付着したトナーを第２ブレードによって除去するものであり、トナー画像と次のトナー画像との間における像間の部分に付着したトナーを除去するようにはなっておらず、前記のような画像形成装置における問題を解決することはできなかった。
【特許文献１】特開平５−３１３４４１号
【発明の開示】
【発明が解決しようとする課題】
【００１２】
本発明は、像担持体に形成されたトナー画像を移動する中間転写体に一次転写させ、このように転写されたトナー像を中間転写体により二次転写装置と対向する位置に導いて、記録媒体に二次転写させるようにした画像形成装置における上記のような問題を解決することを課題とするものである。
【００１３】
すなわち、本発明は上記のような画像形成装置において、中間転写体に転写されるトナー画像間における像間部分に付着したトナーが二次転写装置に付与されるのを防止し、二次転写装置に付与されたトナーによって記録媒体の裏面が汚れたり、転写が適切に行えなくなったりするのを防止することを課題とするものである。
【課題を解決するための手段】
【００１４】
本発明においては、上記のような課題を解決するため、像担持体に形成されたトナー画像を移動する中間転写体に一次転写させ、このように転写されたトナー像を中間転写体により二次転写装置と対向する位置に導いて、記録媒体に二次転写させるようにした画像形成装置において、上記の一次転写させる位置より中間転写体の移動方向下流側で上記の二次転写させる位置との間に、上記の中間転写体に転写されたトナー画像と次のトナー画像との間の像間部分に付着したトナーを中間転写体から除去する像間クリーニング手段を設けた。
【００１５】
そして、本発明における画像形成装置において、上記の像間クリーニング手段を設けるにあたっては、例えば、上記の一次転写させる位置より中間転写体の移動方向下流側で上記の二次転写させる位置との間にクリーニング部材を設け、このクリーニング部材を上記の像間部分に付着したトナーを中間転写体から除去する間だけ中間転写体に接触させるように、このクリーニング部材を中間転写体に対して接触，離隔させる制御手段を設けるようし、或いは上記のクリーニング部材に対して、上記の像間部分に付着したトナーを中間転写体から除去する間だけトナー回収用電圧を作用させる回収用電圧印加手段を設けるようにすることができる。
【００１６】
ここで、上記のようにクリーニング部材に回収用電圧を作用させて、像間部分に付着したトナーを中間転写体から除去させるようにした場合、クリーニング部材を中間転写体に接触させてトナーを中間転写体から除去させる場合に比べて、中間転写ベルトに加わる負荷が大きく軽減される。このため、上記のようにクリーニング部材に回収用電圧印加手段から回収用電圧を作用させて、像間部分に付着したトナーを中間転写体から除去させるようにすると、像担持体に形成された次のトナー画像を中間転写体に一次転写させている状態や、中間転写体に転写された先のトナー画像を記録媒体に二次転写させている状態においても、これらの転写に悪影響を及ぼすのが抑制される。
【００１７】
また、上記の像間クリーニング手段により像間部分に付着したトナーを中間転写体から除去させるにあたり、像間部分に付着したトナーが簡単に除去されるようにするため、像間部分に付着したトナーを像間クリーニング手段によって除去する位置よりも中間転写体の移動方向上流側の位置に、像間部分に付着したトナーの帯電を制御する荷電制御手段を設けることが好ましい。
【００１８】
さらに、上記のように像間クリーニング手段によって像間部分に付着したトナーを中間転写体から除去する場合、中間転写体に転写されたトナー画像と次のトナー画像との間の像間部分の間隔を、像間制御手段によって大きくすることが好ましい。
【発明の効果】
【００１９】
本発明における画像形成装置においては、上記のように像担持体に形成されたトナー画像を中間転写体に一次転写させる位置より中間転写体の移動方向下流側で、このように転写されたトナー画像を中間転写体から記録媒体に二次転写させる位置との間に像間クリーニング手段を設け、この像間クリーニング手段により、中間転写体に転写されたトナー画像と次に転写されるトナー画像との間の像間部分に付着したトナーを中間転写体から除去するようにしたため、像間部分に付着したトナーが二次転写装置に付与されるのを防止される。
【００２０】
この結果、本発明の画像形成装置においては、二次転写装置に付与されたトナーによって記録媒体の裏面が汚れたり、二次転写に悪影響を及ぼしたりするのが防止され、良好な画像形成が行えるようになる。
【発明を実施するための最良の形態】
【００２１】
次に、この発明の実施形態に係る画像形成装置を添付図面に基づいて具体的に説明する。なお、この発明に係る画像形成装置は、下記の実施形態に示したものに限定されず、その要旨を変更しない範囲において適宜変更して実施できるものである。
【００２２】
この実施形態に係る画像形成装置も、図２に示すように、図１に示した画像形成装置と同様に、黄色，マゼンタ色，シアン色，黒色の異なった色彩のトナーを収容させた４つの現像装置１１に対応させて、４つの感光体ドラムからなる像担持体１０を設けている。
【００２３】
そして、この画像形成装置においてフルカラー画像を形成するにあたっても、上記の場合と同様に、上記の各像担持体１０を回転させて、各像担持体１０の外周面をそれぞれ帯電装置１２により帯電させ、このように帯電された各像担持体１０に対して、それぞれ露光装置１３により画像データに従った露光を行って、各像担持体１０の外周面にそれぞれ静電潜像を形成し、対応する各現像装置１１からそれぞれ所定の色彩のトナーを上記の各像担持体１０に供給して現像を行い、各像担持体１０の外周面にそれぞれの色彩のトナー画像を形成する。
【００２４】
次いで、上記の各像担持体１０に形成されたそれぞれの色彩のトナー画像を、ローラ２１に架け渡されて駆動される中間転写ベルトからなる中間転写体２０にそれぞれローラ状になった一次転写装置２２により順々に一次転写させて、この中間転写体２０の上にフルカラーのトナー画像を形成する一方、転写後の各像担持体１０の外周面に残留しているトナーをそれぞれ第１クリーニング装置１４によって各像担持体１０の外周面から除去させる。
【００２５】
そして、上記のように中間転写体２０の上に形成されたフルカラーのトナー画像を、この中間転写体２０によりローラ状になった二次転写装置２３と対向する位置に導くと共に、この画像形成装置の下部に収容されたシート状の記録媒体Ｓを、送りローラ１５により中間転写体２０と二次転写装置２３との間に導き、上記の二次転写装置２３により中間転写体２０の上に形成されたフルカラーのトナー画像をこの記録媒体Ｓに二次転写させる。
【００２６】
その後は、このようにフルカラーのトナー画像が転写された記録媒体Ｓを定着装置１６に導いて、転写されたフルカラーのトナー画像を記録媒体Ｓに定着させて排紙させる一方、記録媒体Ｓに転写されずに中間転写体２０に残ったトナーを第２クリーニング装置１７によって中間転写体２０から除去させるようにする。
【００２７】
ここで、この実施形態における画像形成装置においては、各像担持体１０から中間転写体２０にトナー画像を一次転写させる位置よりも中間転写体２０の移動方向下流側で、このように一次転写されたトナー画像を中間転写体２０から記録媒体Ｓに二次転写させる位置との間におけるローラ２１ａと対向するようにして像間クリーニング手段３０を設け、この像間クリーニング手段３０により、中間転写体２０に転写されたトナー画像と次のトナー画像との間の像間部分に付着したトナーを除去させるようにしている。
【００２８】
そして、このように像間クリーニング手段３０により中間転写体２０に転写されたトナー画像と次のトナー画像との間の像間部分に付着したトナーを除去させると、中間転写体２０の像間部分に付着したトナーが二次転写装置２３に付与されるのが防止され、次に中間転写体２０と二次転写装置２３との間に導かれる記録媒体Ｓの裏面がトナーで汚れたり、上記の二次転写に悪影響を及ぼしたりのするのも防止される。
【００２９】
ここで、この実施形態における画像形成装置においては、上記の像間クリーニング手段３０として、図３（Ａ），（Ｂ）に示すように、クリーニング装置３１にクリーニング部材として板状のクリーニングブレード３２を設け、このクリーニング装置３１を上記のローラ２１ａと対向する位置に設けると共に、上記のクリーニングブレード３１ａを中間転写体２０に対して接触，離隔させる制御手段として、このクリーニング装置３１を上記の中間転写体２０に対して往復移動させる移動装置４１を設けている。
【００３０】
そして、この像間クリーニング手段３０において、中間転写体２０の像間部分に付着したトナーを除去させない状態では、同図（Ａ）に示すように、上記の移動装置４１によりクリーニング装置３１を中間転写体２０から離隔させて、このクリーニング装置３１に設けられたクリーニングブレード３２が中間転写体２０と接触しないようにし、中間転写体２０に一次転写されたトナー画像がこのクリーニングブレード３２によって除去されないようにする。一方、中間転写体２０の像間部分に付着したトナーを除去させる場合には、同図（Ｂ）に示すように、上記の移動装置４１によりクリーニング装置３１を中間転写体２０側に移動させ、上記のクリーニングブレード３２を中間転写体２０に接触させて、像間部分に付着したトナーをこのクリーニングブレード３２によって除去させるようにする。
【００３１】
なお、上記の画像形成装置において使用する像間クリーニング手段３０は、このようなものに限定されない。
【００３２】
例えば、上記の像間クリーニング手段３０においては、移動装置４１によりクリーニング装置３２を移動させて、クリーニングブレード３１を中間転写体２０に対して接触，離隔させるようにしたが、適当な移動装置（図示せず）によって上記のクリーニングブレード３１だけを移動させて、クリーニングブレード３１を中間転写体２０に対して接触，離隔させるようにすることも可能である。
【００３３】
また、上記の像間クリーニング手段３０において、板状のクリーニングブレード３１を中間転写体２０に接触させて、像間部分に付着したトナーを除去させるにあたり、図４に示すように、このクリーニングブレード３１よりも中間転写体２０の移動方向上流側の位置に、像間部分に付着したトナーの帯電を制御する荷電制御手段として除電用ブラシローラ５１を設け、この除電用ブラシローラ５１によって中間転写体２０の像間部分に付着したトナーを除電させるようにすることもできる。
【００３４】
そして、このように除電用ブラシローラ５１によって中間転写体２０の像間部分に付着したトナーを除電させると、中間転写体２０に対するトナーの付着力が低下し、上記のクリーニングブレード３１を中間転写体２０に接触させる接触圧を低くした場合にも、中間転写体２０に付着したトナーが適切に除去されるようになる。この結果、クリーニングブレード３１の接触による中間転写体２０の負荷が軽減され、上記の一次転写や二次転写に対する影響が軽減される。
【００３５】
また、上記の像間クリーニング手段３０においては、クリーニング部材として板状のクリーニングブレード３１を用いるようにしたが、図５に示すように、クリーニング部材として回転するブラシローラ３３を用い、このブラシローラ３３によって中間転写体２０の像間部分に付着したトナーを回収し、このように回収したトナーを掻き出し部材３４によりブラシローラ３３から離脱させるようにすることも可能である。
【００３６】
また、上記の像間クリーニング手段３０として、図６に示すように、クリーニング部材としてロール状に巻き取った長尺のシート材３５を用いると共に、このシート材３５を中間転写体２０に対して接触，離隔させる制御手段として、押圧部材４２をシリンダ４３とバネ４４とによって往復移動させるようにしたものを用い、上記のシート材３５をこの押圧部材４２の上を通して巻き取りローラ３６に巻き取るようにすることも可能である。
【００３７】
そして、この像間クリーニング手段３０によって中間転写体２０の像間部分に付着したトナーを除去させる場合には、上記のシリンダ４３により押圧部材４２をバネ４４に抗して中間転写体２０側に移動させ、この押圧部材４２により上記のシート材３５を中間転写体２０に接触させて、像間部分に付着したトナーを除去させ、このようにトナーが付着されたシート材３５を上記の巻き取りローラ３６に巻き取るようにする。
【００３８】
さらに、上記の像間クリーニング手段３０として、図７に示すように、クリーニング部材として導電性の回収ローラ３７を用い、この回収ローラ３７を中間転写体２０に対して移動させるようにすると共に、トナー回収用電圧を作用させる回収用電圧印加手段として、回収用電源６１からこの回収ローラ３７にトナーと逆極性の電圧を印加させるようにすることも可能である。
【００３９】
そして、この像間クリーニング手段３０によって中間転写体２０の像間部分に付着したトナーを除去させる場合には、上記の回収ローラ３７を中間転写体２０に対して近接又は接触させると共に、上記の回収用電源６１からこの回収ローラ３７にトナーと逆極性の電圧を印加させて、中間転写体２０の像間部分に付着したトナーを回収し、この回収ローラ３７に回収されたトナーを掻き取り部材３８によって回収ローラ３７から除去させるようにする。なお、このように回収用電源５１からこの回収ローラ３７にトナーの帯電極性と逆極性の電圧を印加させて、中間転写体２０の像間部分に付着したトナーを回収させるようにした場合、回収時における中間転写体２０への負荷が軽減され、上記の一次転写や二次転写に対する影響が軽減される。
【００４０】
また、このように回収用電源６１から回収ローラ３７にトナーと逆極性の電圧を印加させて、中間転写体２０の像間部分に付着したトナーを回収するにあたり、図８に示すように、この回収ローラ３７よりも中間転写体２０の移動方向上流側の位置に、像間部分に付着したトナーの帯電を制御する荷電制御手段として、帯電装置５２を設け、この帯電装置５２に帯電用電源５３からトナーの帯電極性と同極性の電圧を印加させて、中間転写体２０の像間部分に付着している逆帯電トナーや弱帯電トナーを適切に帯電させることも可能である。
【００４１】
そして、このように中間転写体２０の像間部分に付着している逆帯電トナーや弱帯電トナーを帯電装置５２により適切に帯電させると、このトナーがトナーの帯電極性と逆極性の電圧を印加させた上記の回収ローラ３７によって適切に回収されるようになる。また、図示していないが、上記の回収ローラ３７に代えて、導電性ブラシローラなどを用いるようにすることも可能である。さらに、上記の回収用電源５１から回収ローラ３７に対して回収時とは逆極性の電圧を適当な時期に作用させ、上記のように回収ローラ３７に回収したトナーを中間転写体２０に戻すと共に上記の二次転写装置２３を中間転写体２０から離隔させ、中間転写体２０に戻されたトナーを前記の第２クリーニング装置１７によって中間転写体２０から除去させるようにすることも可能である。
【００４２】
なお、前記の画像形成装置においては、上記のように像間クリーニング手段３０により中間転写体２０に転写されたトナー画像と次のトナー画像との間の像間部分に付着したトナーを除去させる操作を常に行う必要はなく、環境条件などの各種の画像形成条件に応じて、適当な時期にだけ、像間部分に付着したトナーを除去させるようにすることも可能である。但し、中間転写体２０に一次転写されたトナー画像と次のトナー画像との間における像間の部分に、画像形成条件を調整するためのパターン画像を形成する場合には、多くのトナーが像間の部分に付着されるため、この場合には、常に上記の像間クリーニング手段３０により像間部分に付着したトナーを除去させるようにする。
【００４３】
また、上記のように中間転写体２０に一次転写されたトナー画像と次のトナー画像との間における像間の部分に付着したトナーを除去させる場合、上記の一次転写や二次転写に対する影響を低減させるため、上記の一次転写のタイミングを遅くして、トナー画像と次のトナー画像との間における像間部分の間隔を大きくすることが好ましい。
【図面の簡単な説明】
【００４４】
【図１】従来の画像形成装置の概略説明図である。
【図２】本発明の一実施形態に係る画像形成装置の概略説明図である。
【図３】上記の実施形態における画像形成装置に設ける像間クリーニング手段の一例を示し、クリーニング装置を移動させて、クリーニング装置に設けたクリーニングブレードを中間転写体に対して離隔させた状態と、中間転写体に接触させた状態とを示した概略説明図である。
【図４】上記の実施形態における画像形成装置に設ける像間クリーニング手段の第１の変更例において、中間転写体の像間部分に付着したトナーを除去させる状態を示した概略説明図である。
【図５】上記の実施形態における画像形成装置に設ける像間クリーニング手段の第２の変更例において、中間転写体の像間部分に付着したトナーを除去させる状態を示した概略説明図である。
【図６】上記の実施形態における画像形成装置に設ける像間クリーニング手段の第３の変更例において、中間転写体の像間部分に付着したトナーを除去させる状態を示した概略説明図である。
【図７】上記の実施形態における画像形成装置に設ける像間クリーニング手段の第４の変更例において、中間転写体の像間部分に付着したトナーを除去させる状態を示した概略説明図である。
【図８】上記の実施形態における画像形成装置に設ける像間クリーニング手段の第５の変更例において、中間転写体の像間部分に付着したトナーを除去させる状態を示した概略説明図である。
【符号の説明】
【００４５】
１０  像担持体
１１  現像装置
１２  帯電装置
１３  露光装置
１４  第１クリーニング装置
１５  送りローラ
１６  定着装置
１７  第２クリーニング装置
２０  中間転写体
２１，２１ａ  ローラ
２２  一次転写装置
２３  二次転写装置
３０  像間クリーニング手段
３１  クリーニング装置
３２  クリーニングブレード
３３  ブラシローラ
３４  掻き出し部材
３５  シート材
３６  巻き取りローラ
３７  回収ローラ
３８  掻き取り部材
４１  移動装置
４２  押圧部材
４３  バネ
５１  除電用ブラシローラ
５２  帯電装置
５３  帯電用電源
６１  回収用電源
【図１】
2008003346.tif 000003
【図２】
2008003346.tif 000004
【図３】
2008003346.tif 000005
【図４】
2008003346.tif 000006
【図５】
2008003346.tif 000007
【図６】
2008003346.tif 000008
【図７】
2008003346.tif 000009
【図８】
2008003346.tif 000010